(57)【要約】【課題】  ケーキ等の型崩れを防ぎ組立に接着剤等を必要とせず、持運び時に密閉状態を維持し容易に開封できる包装箱を実現する。【解決手段】  該包装箱は底板部１０と、底板部１０の前方で折曲げた前板部２０と、底板部１０の後方で折曲げた後板部３０と、底板部１０の右方で折曲げた右側板部５０と、底板部１０の左方で折曲げた左側板部６０と、前板部２０の底板部１０側で連結された右前方フラップ５１及び左前方フラップ６１と、後板部３０の底板部１０側で連結された右後方フラップ５２及び左後方フラップ６２と、底板部１０と相対して形成された開口部１０ｓを塞ぐ内天板部４２と、内天板部４２を覆う外天板部４１と、後板部３０と内天板部４２との境界に形成された外天板係止スリット４２１と、それに係止する外天板係止舌片４１１と、外天板部４１の把手切り込み線４１２ａ、ｂで規定された把手部４１２を備える構成とした。【選択図】図１
2018188198.tif 000002
【特許請求の範囲】
【請求項１】
包装箱であって、
底板部と、
前記底板部の前方に連接して前記底板部に対し折曲げられた前板部と、
前記底板部の後方に連接して前記前板部と同方向に折曲げられた後板部と、
前記底板部の右方に連接して前記前板部と同方向に折曲げられた右側板部と、
前記底板部の左方に連接して前記前板部と同方向に折曲げられた左側板部と、
前記右側板部の前方に連接して前記前板部における前記底板部側に位置づけられた右前方フラップと、
前記左側板部の前方に連接して前記前板部における前記底板部側に位置づけられた左前方フラップと、
前記右前方フラップと前記左前方フラップとを連結した前方フラップ連結部と、
前記右側板部の後方に連接して前記後板部における前記底板部側に位置づけられた右後方フラップと、
前記左側板部の後方に連接して前記後板部における前記底板部側に位置づけられた左後方フラップと、
前記右後方フラップと前記左後方フラップとを連結した後方フラップ連結部と、
前記底板部、前記前板部、前記後板部、前記右側板部および前記左側板部で規定されて前記底板部と相対する側に形成された開口部と、
前記後板部の前記底板部と相対する側に連接して前記開口部を塞ぐことができる前記開口部と略同一形状の内天板部と、
前記前板部の前記底板部と相対する側に連接して前記内天板部と略同一形状を成して前記内天板部を覆うことができる外天板部と、
前記後板部と前記内天板部との境界である内天板折曲げ部の近傍に形成された外天板係止スリットと、
前記外天板部の前記底板部と相対する外天板端部に形成されて前記外天板係止スリットに係止する外天板係止舌片と、
前記外天板部に施された把手切り込み線によって形状が規定された把手部と
を備えたことを特徴とする包装箱。
【請求項２】
請求項１に記載の包装箱であって、
前記前板部の一部または全部を前記底板部側から分離するための分離線部を更に備え、
前記分離線部は、前記前板部および前記外天板部の双方または一方に形成され、前板部右辺、外天板部右辺、前板部左辺または外天板部左辺の少なくとも一つに接していることを特徴とする包装箱。
【請求項３】
請求項１または２に記載の包装箱であって、
前記右後方フラップ、前記左後方フラップ、前記右前方フラップおよび前記左前方フラップの何れかに連接した補助収容部を更に備え、
前記補助収容部は複数の仕切壁によって形成され、
前記複数の仕切壁の１つは前記右後方フラップの後端部辺、前記左後方フラップの後端部辺、前記右前方フラップの前端部辺および前記左前方フラップの前端部辺の何れかに連接したことを特徴とする包装箱。
【請求項４】
請求項１乃至３の何れか１項に記載の包装箱であって、
該包装箱に前記底板部に載置された被包装物を所定の割合で切り分けるためのカット案内線を更に備え、
前記カット案内線は、前記底板部の略中央から放射状に複数形成されたことを特徴とする包装箱。
【請求項５】
包装箱を形成するためのブランクであって、
底板部と、
前記底板部の前方に連接して前記底板部に対し折曲げられる前板部と、
前記底板部の後方に連接して前記前板部と同方向に折曲げられる後板部と、
前記底板部の右方に連接して前記前板部と同方向に折曲げられる右側板部と、
前記底板部の左方に連接して前記前板部と同方向に折曲げられる左側板部と、
前記右側板部の前方に連接して前記右側板部に対し折曲げられて前記前板部の前記底板部側に位置づけられる右前方フラップと、
前記左側板部の前方に連接して前記左側板部に対し折曲げられて前記前板部の前記底板部側に位置づけられる左前方フラップと、
折曲げられた前記右前方フラップと前記左前方フラップとを連結するための前方フラップ連結部と、
前記右側板部の後方に連接して前記右側板部に対し折曲げられて前記後板部の前記底板部側に位置づけられる右後方フラップと、
前記左側板部の後方に連接して前記左側板部に対し折曲げられて前記後板部の前記底板部側に位置づけられる左後方フラップと、
折曲げられた前記右後方フラップと前記左後方フラップとを連結するための後方フラップ連結部と、
前記後板部の前記底板部と相対する側に連接して前記底板部と略同一形状の内天板部と、
前記前板部の前記底板部と相対する側に連接して前記内天板部と略同一形状の外天板部と、
前記後板部と前記内天板部との境界である内天板折曲げ部の近傍に形成された外天板係止スリットと、
前記外天板部の前記底板部と相対する外天板端部に形成されて前記外天板係止スリットに係止するための外天板係止舌片と、
前記外天板部に施された把手切り込み線によって形状が規定された把手部と
を備えたことを特徴とするブランク。
【発明の詳細な説明】
【技術分野】
【０００１】
本発明はケーキ等を包装するための包装箱およびそのブランクに関するものである。
【背景技術】
【０００２】
ケーキ等を包装（収容）する包装箱は、４つの側板、天板部および底板部の６面を有する略直方体のものが一般的である。こうした包装箱はブランクを所定の折り目線に従って折るとともに、所定の部位（糊代）を接着し、あるいはホッチキスで綴じるなどして形成される。
【０００３】
例えば特許文献１が開示する包装箱は、左側面板２、右側面板４、天面板３、底面板１を糊代５で接続し断面略長方形の筒状体（筒状体の前後は開口部となる）とした箱本体の内部にケーキを収容するものである。この包装箱は、開口部からケーキを載置したトレーを内部にスライドさせるようにして収容するものである。
【０００４】
この包装箱は、ケーキを収容したのち、フラップ８およびフラップ１０を折曲げ、さらにフラップ７とフラップ９とを折曲げ重ねたうえで、フラップ９の差し込み舌片１１をフラップ７の止着部１２に係止することで包装を完了し、さらに持ち運びのために、天面板３に打ち抜き等で形成された提げ手部を折曲げて提げ手部（持ち手）とすることができる。
【０００５】
しかしこの包装箱はケーキを箱本体の開口部からスライドさせて収容しなければならず、収容時にケーキが開口部に触れて型崩れしないように注意しなければならない。もちろん消費者がケーキを保管等するため包装箱に再収容する際にも型崩れに注意しなければならない。またこの包装箱は、糊代への接着剤塗布で組立のコストが増えるとともに、打ち抜き等で天面板３に形成された提げ手部１３を折り曲げた際に形成される提げ手部孔を塞ぐための遮蔽部材（フィルムなど）やその貼着もコスト上昇の要因となる。しかも消費者はこの包装箱を廃棄するとき、糊代や遮蔽部材を剥がさなければならず煩わしい。さらに包装箱は、包装を解くとき、係止したフラップ９の差し込み舌片１１とフラップ７の止着部１２との係止を解かなければならない。
【０００６】
特許文献２が開示する包装箱は天板２５を蓋として、ケーキ等を有底箱体の上部開口から収容する（取り出す）ものである。ここで有底箱体は、後側壁２３に連接した底板２１および天板２５、後側壁２３の左右に連接した左右側壁２４を折曲げて形成され、後側壁２３と相対する壁面は前フラップ３３および前側壁２２を重ねて形成するようになっている。したがって底板２１にケーキ等を載置したのち、包装箱の組立てと同時にケーキ等を包装することができ、あるいは有底箱体を形成したのちに底板２１にケーキ等を載置することもできる。さらにケーキ収容後に天板２５の閉止片６を前側壁２２の閉止用切目５３に係止することで有底箱体の上部開口を塞ぐことで、包装後の良好な密閉状態を実現することができる。したがって包装を解くときには、互いに係止した天板２５の閉止片６と前側壁２２の閉止用切目５３との係止を解かなければならない。
【０００７】
ところでこの包装箱は、持ち運びのための提げ手部（持ち手）を備えていない。そこで天板２５に特許文献１が開示する提げ手部を形成すると、特許文献１の包装箱と同様に提げ手部孔を塞ぐ遮蔽部材（フィルムなど）の貼着が必要となり、コストも上昇する。くわえてケーキ等の荷重は、底板２１から前側壁２２と後側壁２３を介し天板２５に掛って、天板２５を変形させ、天板２５と左右側壁２４との間に隙間を生じ、包装箱の密閉状態を維持することができない。もちろん消費者は包装箱を廃棄するとき、遮蔽部材を剥がさなければならず煩わしい。
【先行技術文献】
【特許文献】
【０００８】
【特許文献１】登録実用新案公報３０４８０４３号公報
【特許文献２】登録実用新案公報３１４７６８６号公報
【発明の概要】
【発明が解決しようとする課題】
【０００９】
そこで本発明は、収容時におけるケーキ等の型崩れをふせぐことができ、組み立てに接着剤塗布などを必要とせず、遮蔽部材などを必要とせず、持ち手を持ったときに天板部と側板との間に隙間を生じることがなく良好な密閉状態を維持することができ、廃棄する際に貼着部等を剥がす必要がなく、好ましくは、フラップの舌部と係止部との係止を解きほぐすことなく容易に包装を解くことができる、包装箱を実現すること、および該包装箱を形成するためのブランクを提供することを課題とした。
【課題を解決するための手段】
【００１０】
上記課題を解決するため本発明に係る包装箱は、底板部と、底板部の前方に連接して底板部に対し折曲げられる前板部と、底板部の後方に連接して前板部と同方向に折曲げられる後板部と、底板部の右方に連接して前板部と同方向に折曲げられる右側板部と、底板部の左方に連接して前板部と同方向に折曲げられる左側板部と、右側板部の前方に連接して右側板部に対し折曲げられて前板部の底板部側に位置づけられる右前方フラップと、左側板部の前方に連接して左側板部に対し折曲げられて前板部の底板部側に位置づけられる左前方フラップと、折曲げられた右前方フラップと左前方フラップとを連結するための前方フラップ連結部と、右側板部の後方に連接して右側板部に対し折曲げられて後板部の底板部側に位置づけられる右後方フラップと、左側板部の後方に連接して左側板部に対し折曲げられて後板部の底板部側に位置づけられる左後方フラップと、折曲げられた右後方フラップと左後方フラップとを連結するための後方フラップ連結部と、後板部の底板部と相対する側に連接して底板部と略同一形状を有した内天板部と、前板部の底板部と相対する側に連接して内天板部と略同一形状を有した外天板部と、後板部と内天板部との境界である内天板折曲げ部の近傍に形成された外天板係止スリットと、外天板部の底板部と相対する外天板端部に形成されて外天板係止スリットに係止するための外天板係止舌片と、外天板部に施された把手切り込み線によって形状が規定された把手部とを備えたブランク（請求項５に記載）を折曲げることによって形成される。
【００１１】
こうして形成された包装箱は（請求項１に記載のように）、底板部と、底板部の前方に連接して底板部に対し折曲げられた前板部と、底板部の後方に連接して前板部と同方向に折曲げられた後板部と、底板部の右方に連接して前板部と同方向に折曲げられた右側板部と、底板部の左方に連接して前板部と同方向に折曲げられた左側板部とを備えた有底箱体を形成し、同時に底板部と相対する側に開口部を形成する。
【００１２】
該包装箱では、有底箱体の形成に際し、右側板部の前方に連接した右前方フラップおよび左側板部の前方に連接した左前方フラップは、前板部における底板部側に位置づけられ、互いに前方フラップ連結部で連結され、右側板部の後方に連接した右後方フラップおよび左側板部の後方に連接した右後方フラップは、後板部における底板部側に位置づけられ、互いに後方フラップ連結部で互いに連結止される。ここで例えば右前方フラップおよび左前方フラップを前板部における底板部側に位置づける前に、前板部側からケーキ等を底板部に載置することで、収容時におけるケーキの型崩れをふせぐことができる。
【００１３】
また該包装箱は、後板部の底板部と相対する側に連接して開口部と略同一形状の内天板部を後板部に対し折曲げることで、開口部を塞ぐことができ、さらに前板部の底板部と相対する側に連接して内天板部と略同一形状を成して内天板部を前板部に対し折曲げることで、開口部を塞いだ外天板部を外側から覆うことができる。すなわち該包装箱は、その形成に接着工程を有しない。したがって該包装箱の廃棄に際し貼着部等を剥がす必要はない。
【００１４】
外天板部で内天板部を外側から覆うときに、後板部と内天板部との境界である内天板折曲げ部の近傍に形成された外天板係止スリットに、外天板端部に形成されて外天板係止スリットに外天板係止舌片を係止することで、良好な包装状態を実現することができる。
【００１５】
さらに該包装箱は、外天板部に施された把手切り込み線によって形状が規定された把手部を外天板部に対し外側に対し折曲げることで、該包装箱を持ち運ぶための把手部を形成することができる。
【００１６】
把手部を外天板部に対し折曲げた際、外天板部には把手切り込み線開口部が形成されるが、把手切り込み線開口部の直下は内天板部で閉塞されているから、把手切り込み線開口部を塞ぐための遮蔽部材（例えば透明なフィルム）を必要としない。したがって該包装箱の廃棄に際し遮蔽部材を剥がす必要はない。
【００１７】
該包装箱の収容物（例えばホールケーキ）の荷重は底板部から前板部および後板部を経て外天板部に掛かる一方、内天板部には掛からない。したがって該包装箱を例えばケーキの購入者が持ち運ぶ際、内天板部は有底箱体の開口部を良好に塞いで密閉状態を維持する。
【００１８】
該包装箱は（請求項２に記載のように）、分離線部は、前板部および外天板部の双方または一方に形成され、前板部右辺、外天板部右辺、前板部左辺または外天板部左辺の少なくとも一つに接する分離線部を更に有していることが好ましい。
【００１９】
こうした分離部がミシン目で形成されていれば、消費者はミシン目に沿って前板部の一部または全部を底板部側から分離することで該包装箱を素手で容易に開けることができ便利である。
【００２０】
また該包装箱は（請求項３に記載のように）、右後方フラップ、左後方フラップ、右前方フラップおよび左前方フラップの何れかに連接した補助収容部を有してもよい。
【００２１】
この補助収容部は、右後方フラップに後端部、左後方フラップ後端部辺、右前方フラップ前端部辺および左前方フラップ前端部辺の何れかに連接して複数の仕切壁を備えて、底板部と略直交する角柱筒体を成す。したがって販売者は、補助収容部に例えば保冷剤を収容しケーキ等の鮮度を長時間維持できる状態で販売することができる。
【００２２】
また該包装箱は（請求項４に記載のように）、底板部の略中央から放射状に形成された複数のカット案内線を更に有してもよい。底板部に載置されたケーキ等を所定の割合（典型的には等分）で切り分ける際に、カット案内線の位置に合わせてナイフを入れることでケーキ等を所定の割合に容易にカットすることができる。
【発明の効果】
【００２３】
上記構成を有する本発明に係る包装箱は、ブランクを折曲げるだけで貼着・接着工程を必要とせず包装箱を容易に形成でき、収容時におけるケーキ等の型崩れをふせぐことができ、内天板部と側板との間に隙間を生じることがなく良好な密閉状態を維持でき、廃棄する際に貼着部等を剥がす必要がない。また該包装箱は分離線部を備えることで、素手で容易に開けることができる。
【図面の簡単な説明】
【００２４】
【図１】本発明の一実施例にかかる包装箱のブランクの概略構成を示す平面図である。
【図２】図１に示す包装箱のブランクの天板部連結手段（外天板係止舌片および外天板係止スリット）の概略構成を示す平面図である。
【図３】図１に示す包装箱のブランクの分離線部（第１引裂き線、第２引裂き線および引裂き始点部）の概略構成を示す平面図である。
【図４】図１に示す包装箱のブランクのカット案内線の概略構成を示す平面図である。
【図５】図１に示す包装箱のブランクの補助収容部の折り曲げを説明するための斜視図である。
【図６】図１に示す包装箱のブランクの折り曲げ（前方を開放した状態）を説明するための斜視図である。
【図７】図１に示す包装箱のブランクの折り曲げ（有底箱体を形成した状態）を説明するための斜視図である。
【図８】図１に示す包装箱の閉止を説明するための斜視図である。
【図９】図１に示す包装箱の包装完了状態を説明するための斜視図である。
【図１０】図１に示す包装箱の開封を説明するための斜視図である。
【図１１】図１に示す包装箱の再使用を説明するための斜視図である。
【発明を実施するための形態】
【００２５】
以下、図面を参照して本発明にかかる包装箱について説明する。
【００２６】
＜ブランクの平面構成＞
本発明の一実施例にかかる包装箱１Ａを、それを形成するためのブランク２Ａとともに説明する。図１に示す平面概略構成を有するブランク２Ａは、何れも長方形状を有する底板部１０、前板部２０、後板部３０、外天板部４１、内天板部４２、右側板部５０および左側板部６０を有する。ブランク２Ａは例えば段ボール厚紙などの素材で形成できるがこれら素材に限定されない。
【００２７】
ここで底板部１０と前板部２０との境界（折り目線）は底板部前辺１０ａ（例えば長さが１９５ｍｍ）をなし、底板部１０と後板部３０との境界（折り目線）は底板部後辺１０ｂをなし、底板部１０と右側板部５０との境界（折り目線）は底板部右辺１０ｃ（例えば長さが２００ｍｍ）をなし、そして底板部１０と左側板部６０との境界（折り目線）は底板部左辺１０ｄをなしている（なお破線は各折り目線を示す。）。
【００２８】
前板部２０を介して底板部１０と連接する外天板部４１の長さは、底板部右辺１０ｃの長さと略等しく、後板部３０を介して底板部１０と連接する内天板部４２の長さは、底板部右辺１０ｃの長さより若干短い（例えば１９８ｍｍ）。すなわち内天板部４２は、底板部１０と略同一形状であるが底板部１０より若干小さい。また内天板部４２は、後板部３０と相対する側に連接する内天板前側フラップ４３を備えている。
【００２９】
なお本明細書においては、底板部１０を基準に、前板部２０方向を前方、後板部３０方向を後方、右側板部５０方向を右方、そして左側板部６０方向を左方等と表記し、さらに底板部前辺１０ａ方向を幅方向と表記することがある。
【００３０】
＜右左側板部が有するフラップ＞
右側板部５０は、前方に連接する右前方フラップ５１、後方に連接する右後方フラップ５２、右側に連接する右内側フラップ５３を備えている（右内側フラップ５３は底板部１０と相対する側に連接している。）。
【００３１】
ここで右前方フラップ５１の長さは底板部前辺１０ａよりも短く（例えば底板部前辺１０ａの７割程度の長さの１４０ｍｍ）、右側板部５０と右前方フラップ５１との境界（折り目線）は右前部縦辺５０ａ（例えば長さが１５０ｍｍ）をなし、右側板部５０と右後方フラップ５２との境界（折り目線）は右後部縦辺５０ｂをなし、右側板部５０と右内側フラップ５３との境界（折り目線）は右側部上辺５０ｃをなす。右内側フラップ５３の前側端部５３ａと右前部縦辺５０ａとの間隔はブランク２Ａの厚さの少なくとも数倍であり、右内側フラップ５３の後側端部５３ｂと右後部縦辺５０ｂとの間隔も同様である。
【００３２】
左側板部６０は、右側板部５０と同様に構成された左前方フラップ６１、左後方フラップ６２、左内側フラップ６３、左前部縦辺６０ａ、左後部縦辺６０ｂおよび左側部上辺６０ｃを備えている。左内側フラップ６３の前側端部６３ａおよび後側端部６３ｂも右内側フラップ５３の前側端部５３ａおよび後側端部５３ｂと同様に構成されている。
【００３３】
右前方フラップ５１は、右側板部５０の右前部縦辺５０ａと相対する右前方フラップ前端部辺５１ａ、前板部２０と相対する側の辺部となる右前部上辺５１ｂおよび前板部２０側の辺部となる右前部底辺５１ｃを備え、更に右前部上辺５１ｂには略半円形状の右前方フラップ切欠き部５１ｘを備えている（右前方フラップ切欠き部５１ｘの中心と右前部縦辺５０ａとの間隔は底板部前辺１０ａの長さの二分の一である。）。
【００３４】
ここで右前方フラップ前端部辺５１ａの長さは右前部縦辺５０ａの例えば略６割であり、右前部底辺５１ｃの長さは右前方フラップ５１の例えば略４割である。右前方フラップ５１の前側で且つ前板部２０側のコーナー領域は、略台形形状に切欠いたように形成された右前方フラップ係止部５１０となっている。
【００３５】
右前方フラップ係止部５１０は、右前部上辺５１ｂと平行で且つ長さが例えば略四分の一の右前方フラップ係止先端側辺部５１０ａと、右前部底辺５１ｃから斜め前方に延びた右前方フラップ係止下方辺部５１０ｂと、さらに右前方フラップ係止先端側辺部５１０ａと右前方フラップ係止下方辺部５１０ｂとの境界部に形成された右前方フラップ係止溝部５１０ｃを備えている。
【００３６】
ここで右前方フラップ係止溝部５１０ｃは右前部上辺５１ｂに向けた矩形形状を成し、右前方フラップ係止先端側辺部５１０ａは略円弧状に曲がって右前方フラップ係止溝部５１０ｃに接続して、前板部２０側は拡幅している。
【００３７】
左前方フラップ６１は、右前方フラップ５１と略同一形状に構成され、左前方フラップ前端部辺６１ａ、左前部上辺６１ｂ、左前部底辺６１ｃおよび左前方フラップ係止部６１０を備えている。ただし左前方フラップ係止部６１０は、左前方フラップ６１の前側で且つ前板部２０側と相対する側のコーナー領域を略台形形状に切欠いたように形成されている。したがって左前方フラップ６１の左前部底辺６１ｃの長さは右前方フラップ５１の右前部上辺５１ｂと略同じであり、左前方フラップ６１の左前部上辺６１ｂの長さは右前方フラップ５１の右前部底辺５１ｃと略同じである。
【００３８】
また左前方フラップ係止部６１０は、右前方フラップ係止部５１０と同様に構成された左前方フラップ係止先端側辺部６１０ａと、左前方フラップ係止下方辺部６１０ｂと、左前方フラップ係止溝部６１０ｃを備えているが、右前方フラップ切欠き部５１ｘに相当する構成を有しない。
【００３９】
右後方フラップ５２は、右側板部５０の右後部縦辺５０ｂと相対する右後方フラップ後端部辺５２ａ、後板部３０と相対する側の辺部となる右後部上縁５２ｂおよび後板部３０側の辺部となる右後部底辺５２ｃを備え、さらに補助収容部７０を形成するための補助収容部第１フラップ７１、補助収容部第２フラップ７２および補助収容部第３フラップ７３を備えている。
【００４０】
右後方フラップ５２と補助収容部第３フラップ７３との合計長さは底板部後辺１０ｂの長さと略等しい（例えば右後方フラップ５２の長さは底板部後辺１０ｂの例えば略８割であり、補助収容部第３フラップ７３の長さは底板部後辺１０ｂの例えば略２割である。）。
【００４１】
また右後方フラップ５２の右後部上縁５２ｂ側には、右後方フラップ第１凹部５２ｘ、右後方フラップ第２凹部５２ｙおよび右後方フラップ凸部５２ｚが形成されている。右後方フラップ第１凹部５２ｘは右側板部５０側に、右後方フラップ第２凹部５２ｙは右後方フラップ後端部辺５２ａ側に、そして右後方フラップ凸部５２ｚは右後方フラップ第１凹部５２ｘと右後方フラップ第２凹部５２ｙとの間にそれぞれ形成されている。
【００４２】
かかる右後方フラップ５２は、略台形形状に切り抜いて形成された右後方フラップ係止部５２０を更に備えている。
【００４３】
左後方フラップ６２は、右後方フラップ５２と同様に構成され、左後方フラップ後端部辺６２ａ、左後部上縁６２ｂおよび左後部底辺６２ｃを備え、左後部上縁６２ｂには、左後方フラップ第１凹部６２ｘ、左後方フラップ第２凹部６２ｙおよび左後方フラップ凸部６２ｚが形成されている。かかる左後方フラップ６２は、略台形形状に切り抜いて形成された左後方フラップ係止部６２０を更に備えている。
【００４４】
ただし左後方フラップ６２は、補助収容部第１フラップ７１、補助収容部第２フラップ７２、補助収容部第３フラップ７３に相当する構成を有しない点において右後方フラップ５２と相違する。また左後方フラップ６２は右後方フラップ５２より長い。
【００４５】
＜補助収容部フラップ＞
ブランク２Ａが備えた補助収容部第１フラップ７１は、右後方フラップ５２の右後方フラップ後端部辺５２ａを境界（折り目線）として右後方フラップ５２の後方に直接連接し、補助収容部第２フラップ７２は、補助収容部第２フラップ折り目線７２ａを境界として補助収容部第１フラップ７１の後方に直接連接し、そして補助収容部第３フラップ７３は、補助収容部第３フラップ折り目線７３ａを境界として補助収容部第２フラップ７２の後方に直接連接している。
【００４６】
補助収容部第１フラップ７１の高さ（ブランク２Ａにおける幅方向長さ）は右側板部５０の高さ（ブランク２Ａにおける幅方向長さ）の例えば約７割である。補助収容部第２フラップ７２の高さは例えば右側板部５０の高さより若干低い。補助収容部第３フラップ７３の高さは右側板部５０の高さの例えば約８割である。ブランク２Ａにおいて、補助収容部第１フラップ７１、補助収容部第２フラップ７２および補助収容部第３フラップ７３は、何れも内天板部４２の内天板右辺４２ｃに略接している。
【００４７】
補助収容部第１フラップ７１は複数の通気孔７０ｈ（例えば丸孔）を備えている。補助収容部第２フラップ７２はブランク２Ａにおいて内天板部４２と接する部位に補助収容部係止凸部７２１を備え、補助収容部係止凸部７２１は、図１中左方向にブランク２Ａの厚さ程度の長さを有した略長方形状をなしている。補助収容部第３フラップ７３は補助収容部第２フラップ７２と相対する側に略台形形状の補助収容部係止舌片７０１を備えている。補助収容部係止舌片７０１を係止するための補助収容部係止スリット７０２は、補助収容部第１フラップ７１における右後方フラップ５２の右後方フラップ後端部辺５２ａ近傍に形成されている。
【００４８】
＜外天板部＞
外天板部４１は、外天板前辺４１ａ、外天板後端辺（外天板端部）４１ｂ、外天板部右辺４１ｃ、外天板部左辺４１ｄで形状が規定されて、底板部１０と略同一の略長方形状を成す。ここで外天板前辺４１ａは外天板部４１と前板部２０との境界（折り目線）を成し、外天板後端辺４１ｂは外天板前辺４１ａと相対する辺部を成す。外天板後端辺４１ｂにはセンター振り分けして配置された２つの外天板係止舌片４１１が連接している。
【００４９】
さらに外天板部４１は２つの把手部４１２を備えている。これら把手部４１２は、外天板部４１の中心を中心として外天板部右辺４１ｃ、外天板部左辺４１ｄ側に振り分けて形成された略半円弧形状の把手切り込み線４１２ａおよび４１２ｂよって形状が規定されている（把手切り込み線４１２ａの半径は把手切り込み線４１２ｂの半径より大きい。）。把手切り込み線４１２ａおよび４１２ｂの両端部（外天板前辺４１ａおよび外天板後端辺４１ｂ側）の間には、把手折曲げ部４１２ｃが介在している。また把手切り込み線４１２ｂの中間点近傍には略半円形状の把手折曲げ手掛け孔４１ｘが外天板部４１の中心に向け形成されている。
【００５０】
＜内天板部＞
内天板部４２は、内天板前辺４２ａ、内天板後辺（内天板折曲げ部）４２ｂ、内天板右辺４２ｃ、内天板左辺４２ｄで形状が規定されて、底板部１０と略同一の略長方形状を成す。ここで内天板後辺４２ｂは内天板部４２と後板部３０との境界（折り目線）を成し、内天板前辺４２ａは内天板部４２と内天板前側フラップ４３との境界（折り目線）を成す。内天板前辺４２ａの中央部には、略半円形状の開封手掛け孔４３ｘが内天板前側フラップ４３側に向けて形成されている。
【００５１】
内天板後辺４２ｂ近傍には、外天板部４１の外天板係止舌片４１１を係止するための２つの外天板係止スリット４２１が形成されている。
【００５２】
＜前方フラップ連結手段＞
前方フラップ連結部は、右前方フラップ５１が備えた右前方フラップ係止部５１０と、左前方フラップ６１が備えた左前方フラップ係止部６１０とで構成される。
【００５３】
＜後方フラップ連結手段＞
後方フラップ連結部は、右後方フラップ５２が備えた右後方フラップ係止部５２０と、左後方フラップ６２が備えた左後方フラップ係止部６２０とで構成される。右後方フラップ係止部５２０は、右後方フラップ５２の右側板部５０に近い部位を略台形形状に切り抜いた係止孔であり、右側板部５０側に拡幅し、台形形状の底辺は右側板部５０の右後部縦辺５０ｂと平行している。左後方フラップ係止部６２０は、左後方フラップ６２の左後方フラップ後端部辺６２ａに近い部位を略台形形状に切り抜いた係止舌片であり、左後方フラップ後端部辺６２ａ側に拡幅し、台形形状の底辺は左後方フラップ後端部辺６２ａと平行しており、底辺と相対する辺を係止舌片折り目線６２０ａとしている。
【００５４】
右後方フラップ係止部５２０と左後方フラップ係止部６２０とは、略同一の台形形状を成すが、左後方フラップ係止部６２０の最大幅は右後方フラップ係止部５２０の最大幅より若干広い。
【００５５】
後方フラップ連結部は、右後方フラップ５２と左後方フラップ６２とを連結するものであれば、上記構成に限定されない。例えば右後方フラップ係止部５２０を係止舌片として構成し、左後方フラップ係止部６２０を係止孔として構成してもよい。
【００５６】
＜天板部連結手段と外天板係止舌片および外天板係止スリット＞
天板部連結手段は２つの外天板係止舌片４１１と２つの外天板係止スリット４２１とで構成され、外天板係止舌片４１１は、図２に示すように夫々略台形形状の舌片本体部４１１ａと舌片接続部４１１ｂとを備え、舌片接続部４１１ｂで外天板部４１の外天板後端辺４１ｂと連接している。ここで舌片本体部４１１ａの外天板部４１側（台形形状の底辺）は舌片最大幅部４１１ｗであり、舌片接続部４１１ｂには舌片係止スリット４１１ｓが形成されている。
【００５７】
ここで舌片最大幅部４１１ｗの幅は外天板部４１の幅の例えば三分の一弱であり、舌片接続部４１１ｂの幅は舌片最大幅部４１１ｗの幅の例えば７〜８割であり、舌片係止スリット４１１ｓの幅は舌片接続部４１１ｂの幅の例えば約三分の一である。外天板係止スリット４２１は、内天板前辺４２ａ上に形成された主切込み４２１ａ、主切込み４２１ａの両端から後方向で且つ主切込み４２１ａと直交して形成された短い２つの副切込み４２１ｂ、２つの切抜き部４２１ｓ、および２つの切抜き部４２１ｓの間に形成されたスリット舌部４２１ｔを備えている。
【００５８】
外天板係止スリット４２１の主切込み４２１ａは外天板係止舌片４１１の舌片最大幅部４１１ｗに対応して位置づけられ、外天板係止スリット４２１の２つの切抜き部４２１ｓは外天板係止舌片４１１の舌片接続部４１１ｂに対応して位置づけられ、外天板係止スリット４２１のスリット舌部４２１ｔは外天板係止舌片４１１の舌片係止スリット４１１ｓに対応して位置づけられている。
【００５９】
したがって外天板部４１と内天板部４２とを重ねて包装箱１Ａを閉止するとき、外天板係止舌片４１１を主切込み４２１ａに円滑に挿入することができる。ここで主切込み４２１ａの長さは、外天板係止舌片４１１の舌片最大幅部４１１ｗの幅よりも若干短い。したがって外天板係止舌片４１１の舌片本体部４１１ａを外天板係止スリット４２１に容易に挿入できる一方、副切込み４２１ｂは挿入された舌片本体部４１１ａ（外天板係止舌片４１１）の抜け止めとなる。またスリット舌部４２１ｔは外天板係止舌片４１１の舌片係止スリット４１１ｓに係止して、外天板係止舌片４１１が外天板係止スリット４２１から離脱することを防ぐことができる。
【００６０】
＜分離線部＞
ブランク２Ａは図３に示すように前板部２０に分離線部２１０を有し、分離線部２１０は第１引裂き線２１１、第２引裂き線２１２および引裂き始点部２１３を有している（各引裂き線は例えばミシン目で形成される。）。引裂き始点部２１３は、第１および第２引き裂き線２１１、２１２を手で引裂くための引裂き始点部で、例えば２〜３本の指先を挿入できるものであり、底板部１０の底板部前辺１０ａの中間点近傍から外天板部４１側に向け略半円形状の切込みとして形成されている。
【００６１】
第１引裂き線２１１の始点２１１ａは引裂き始点部２１３に配置され、終点２１１ｂは前板部２０の前板部右辺２０ｃ上に配置されている。第２引裂き線２１２の始点２１２ａは引裂き始点部２１３に配置され、終点２１２ｂは前板部２０の前板部左辺２０ｄ上に配置されている（第２引裂き線２１２は第１引裂き線２１１と左右対称に形成されている。）。
【００６２】
第１引裂き線２１１、第２引裂き線２１２および引裂き始点部２１３と、外天板前辺４１ａとの間の領域は主前板部２０ｍとなっており、第１引裂き線２１１と底板部１０の底板部前辺１０ａとの間の領域、および第２引裂き線２１２と底板部１０の底板部前辺１０ａとの間の領域は、それぞれ副前板部２０ｓとなっている。
【００６３】
なお第１引裂き線２１１の終点２１１ｂは、外天板部４１の外天板部右辺４１ｃ上に配置されていてもよく、同様に第２引裂き線２１１の終点２１１ｂは、外天板部４１の外天板部左辺４１ｄ上に配置されていてもよい。
【００６４】
＜カット案内線＞
図４に示すように底板部１０は複数のカット案内線１０１を有している。ブランク２Ａにおけるカット案内線１０１は底板部１０の中心から放射状で且つ３６０度を等分にして描かれた直線の集合である。カット案内線１０１は、底板部１０に載置された例えばホールケーキをナイフで等分に切り分ける際にナイフを入れる位置を案内するためのものである。
【００６５】
カット案内線１０１は、特に奇数に切り分けるときに有用であり、例えば３６０度を５等分して７２度ごとに５本のカット案内線１０１を設けるなどする。もちろん切り分けは奇数に限定されず、３６０度を例えば６等分して６０度ごとの６本のカット案内線１０２を設けてもよい（６等分の切り分け）。
【００６６】
カット案内線１０１、１０２はブランク２Ａを線状に押圧するなどして形成することができる。このときカット案内線１０１は連続線として押圧し、カット案内線１０２は破線として押圧し、線種によって両カット案内線を区別してもよい。
【００６７】
カット案内線１０１、１０２は底板部前辺１０ａ、底板部後辺１０ｂ、底板部右辺１０ｃおよび底板部左辺１０ｄの何れかの近傍に達していることが好ましく、さらに底板部前辺１０ａ等を超えて隣接する前板部２０等に達していても良い。なおホールケーキが載置さる底板部１０の中心領域には、カット案内線１０１、１０２は形成されていなくても良い。
【００６８】
＜包装箱の組立および物品の収容＞
次に包装箱１Ａの組立および包装についてホールケーキを例に説明する。ただし以下の包装箱１Ａの組立手順は一例であり、包装完了に支障のない範囲で組立手順を変更することができる。
【００６９】
＜補助収容部の折曲げ＞
図５に示すように、先ず右後方フラップ５２の右後方フラップ後端部辺５２ａを折り目線として、補助収容部第１フラップ７１を右後方フラップ５２に対し谷折りする。次に補助収容部第２フラップ折り目線７２ａを折り目線として、補助収容部第２フラップ７２を補助収容部第１フラップ７１に対し山折りする。更に補助収容部第３フラップ折り目線７３ａを折り目線として、補助収容部第３フラップ７３を補助収容部第２フラップ７２に対し山折りしつつ、補助収容部係止舌片７０１を補助収容部係止スリット７０２に挿入し係止する。
【００７０】
そうすると補助収容部第１フラップ７１、補助収容部第２フラップ７２および補助収容部第３フラップ７３は、テーピングや糊付けすることなく折曲げ作業だけで断面三角形状（三角柱筒体）の補助収容部７０となる。
【００７１】
＜右左側板部とそれらのフラップの折曲げ＞
右側板部５０に対し右後方フラップ５２を谷折しつつ、底板部１０に対し右側板部５０を谷折する。その後、左側板部６０に対し左後方フラップ６２を谷折しつつ、底板部１０に対し左側板部６０を谷折する。このとき補助収容部７０の補助収容部係止凸部７２１を底板部１０の底板部左辺１０ｄ近傍に設けられた補助収容部係止スリット１７０ｓ（図１）に係止する。
【００７２】
さらに図６に示すように、右後方フラップ５２の後方面（後板部３０側）に左後方フラップ６２を接するように位置付ける。そして右後方フラップ係止部５２０（係止孔）に左後方フラップ係止部６２０（係止舌片）を押し込むようにして若干折曲げる。そうすると右後方フラップ５２と左後方フラップ６２とは、後方フラップ連結部（右後方フラップ係止部５２０および左後方フラップ係止部６２０）によって連結される。
【００７３】
するとブランク２Ａは、底板部１０の右側に右側板部５０が立設し、底板部１０の左側に左側板部６０が立設し、底板部１０の後側に連結した右後方フラップ５２と左後方フラップ６２とが立設し、底板部１０の前側が開放した状態となる（図６）。
【００７４】
このとき補助収容部７０は、補助収容部第２フラップ７２が左側板部６０と略接し、補助収容部第３フラップ７３が左後方フラップ６２と略接した状態となる。この状態でホールケーキをケーキ皿に載置して底板部１０に載置することができる。このとき補助収容部７０に保冷剤等を収容することができる。
【００７５】
次に右前方フラップ５１および左前方フラップ６１を折曲げて、図７に示すように、右前方フラップ５１を内側に、左前方フラップ６１を外側になるように位置付けつつ右前方フラップ係止部５１０と左前方フラップ係止部６１０とを係止する（前方フラップ連結部を連結する）。そうすると右前方フラップ５１の右前方フラップ前端部辺５１ａの近傍は左前方フラップ６１で覆われ、左前方フラップ６１の左前方フラップ前端部辺６１ａの近傍は右前方フラップ５１で覆われる。
【００７６】
こうして折曲げられたブランク２Ａは、図７に示すように右側板部５０、左側板部６０、連結した右後方フラップ５２および左後方フラップ６２、連結した右前方フラップ５１および左前方フラップ６１の４つの壁部を有し、底板部１０を底部とした有底箱体１Ｂの状態となる（底板部１０と相対した側は開口部１０ｓとなる。）。なおホールケーキおよび保冷剤等の収容は有底箱体１Ｂを形成したのちに行ってもよい。
【００７７】
＜包装箱の閉止＞
次に図８に示すように右内側フラップ５３を左側に、左内側フラップ６３を右側に折曲げる。その後、後板部３０、内天板部４２および内天板前側フラップ４３を折曲げて、後板部３０を左後方フラップ６２の外側（有底箱体１Ｂの外側）に接するよう位置付けつつ、内天板前側フラップ４３を右内側フラップ５３および左内側フラップ６３との間に挿入すると、内天板部４２で有底箱体１Ｂの開口部１０ｓを塞ぐことができる。このとき内天板部４２の開封手掛け孔４３ｘは右前方フラップ切欠き部５１ｘの内側直近に位置付けられる。
【００７８】
その後、前板部２０を連結した右前方フラップ５１および左前方フラップ６１と接するように折曲げるとともに、外天板部４１を内天板部４２の上方に位置づけるように折曲げる。同時に外天板後端辺４１ｂを折り目線として、外天板係止舌片４１１を外天板係止スリット４２１に向け折曲げつつ挿入する（外天板係止舌片４１１は、右後方フラップ５２の右後方フラップ第１凹部５２ｘ、右後方フラップ第２凹部５２ｙ、左後方フラップ第１凹部６２ｘ、左後方フラップ第２凹部６２ｙの領域に挿入されることとなる。）。外天板係止舌片４１１を外天板係止スリット４２１に挿入し終えると、外天板部４１は内天板部４２の上面に略接した状態となる（図９）。
【００７９】
さらに把手部４１２を把手折曲げ部４１２ｃを折り目線として内天板部４２から離れるように折曲げる。この折曲げは把手折曲げ手掛け孔４１ｘに指を挿入するなどで容易に行うことができる。把手部４１２を折曲げると、外天板部４１には把手切り込み線４１２ａ、把手切り込み線４１２ｂおよび把手折曲げ部４１２ｃで規定された略円弧形状の把手孔部４１２ｓが形成されるが、把手孔部４１２ｓは内天板部４２によって塞がれる（図７に示す有底箱体１Ｂの開口部１０ｓと連通しない。）。こうして包装箱１Ａは、テーピングや糊付けすることなく折曲げ作業だけで包装を完了することができる。
【００８０】
包装完了状態における包装箱１Ａ（図９）の前方の壁部は、前板部２０、前方フラップ５１および左前方フラップ６１で構成されて２重（一部は３重）の壁部となり、後方の壁部は、後板部３０、右後方フラップ５２および左後方フラップ６２で構成されて３重の壁部となる。しかも前板部２０、後板部３０は底板部１０と連接している。
【００８１】
そして包装箱１Ａの右方の壁部は底板部１０と連接した右側板部５０で構成され、右方の壁部は底板部１０と連接した左側板部６０で構成される。しかも右前部縦辺５０ａは右側板部５０と右前方フラップ５１とで連続的に構成され、左前部縦辺６０ａ、右後部縦辺５０ｂおよび左後部縦辺６０ｂも同様である。
【００８２】
また右側部上辺５０ｃは右側板部５０と右内側フラップ５３とで連続的に構成され、左側部上辺６０ｃは左側板部６０と左内側フラップ６３とで連続的に構成され、内天板前側フラップ４３が挿入された右前方フラップ５１および左前方フラップ６１と、右内側フラップ５３および左内側フラップ６３との間に生じた隙間は、互いに連接した外天板部４１と前板部２０との境界となる外天板前辺４１ａで覆われる。したがって包装箱１Ａは極めて密閉度の高い包装箱といえる。
【００８３】
包装箱１Ａにおいては、底板部１０に載置されたホールケーキの荷重は、前板部２０側から外天板部４１を経て把手部４１２に伝わるとともに、後板部３０側から天板部連結手段である外天板係止スリット４２１と外天板係止舌片４１１とを経て外天板部４１に伝わり、さらに把手部４１２へと伝わる。したがって外天板部４１はホールケーキの荷重で上に凸に若干変形し得る。
【００８４】
しかしホールケーキの荷重は、右側板部５０、左側板部６０および内天板部４２を経て外天板部４１および把手部４１２へと伝わることはない。したがって内天板部４２と右内側フラップ５３との接触状態、および内天板部４２と左内側フラップ６３との接触状態は、いずれもホールケーキの荷重の影響を受けず、包装箱１Ａは、その運搬中においても極めて優れた密閉度を維持することができる。
【００８５】
＜包装箱の開封について＞
包装箱１Ａを開封するときには、先ず包装箱１Ａの裂き始点部２１３（図９参照）に指先を挿入し、前板部２０の主前板部２０ｍと２つの副前板部２０ｓとを切り離すようにして、第１引裂き線２１１および第２引裂き線２１２を引裂く。そうすると図１０に示すように、主前板部２０ｍとともに外天板部４１は外天板係止舌片４１１と外天板係止スリット４２１とで構成された天板部連結手段を回転軸部のようにして展開可能となる（このとき未だ内天板部４２は開かない。）。
【００８６】
主前板部２０ｍと切り離された２つの副前板部２０ｓは包装箱１Ａの底板部前辺１０ａを回転軸部として展開可能となる。ここで２つの副前板部２０ｓと底板部１０との境界をなす部分（底板部前辺１０ａ）が第１引裂き線２１１および第２引裂き線２１２と同様な引裂き線で形成されていれば、２つの副前板部２０ｓを包装箱１Ａの底板部１０から分離することができる。
【００８７】
包装箱１Ａは、図１０に示す状態で、さらに天板部連結手段の連結を解除して外天板部４１を内天板部４２側から取り外すことができる。取外しは外天板係止舌片４１１を天板係止スリット４２１から手作業で取り外す作業であり容易に行うことができる。
【００８８】
さらに包装箱１Ａの内天板部４２の開封手掛け孔４３ｘに指をかけて内天板部４２を開くと、内天板部４２と後板部３０とは底板部後辺１０ｂを回転軸部として包装箱１Ａの後方に展開することができる（図7に示すように開口部１０ｓを開けることができる。）。このように包装箱１Ａは、第１引裂き線２１１および第２引裂き線２１２を引裂くだけで簡単に開封できる。
【００８９】
＜収容物の取り出し＞
上記のように開封された包装箱１Ａにおいては、有底箱体１Ｂ（図７参照）にホールケーキが収容された状態となる。この状態でホールケーキを取り出すためには、有底箱体１Ｂの上方へと持ち上げなければならず、持ち上げの際にホールケーキに型崩れが生じ得るが、包装箱１Ａは、右前方フラップ５１および左前方フラップ６１の連結を解除し、右前方フラップ５１および左前方フラップ６１を右左に展開したのちにホールケーキを前方に取り出すことで、ホールケーキの型崩れを防ぐことができる。
【００９０】
あるいは、さらに連結した右後方フラップ５２および左後方フラップ６２の連結を解除して、包装箱１Ａの底板部１０、後板部３０、右側板部５０および左側板部６０を平面に展開すれば、型崩れなくホールケーキを取り出すことがさらに容易となる。しかも底板部１０等を平面に展開したのち、カット案内線１０１、２の表示に従ってホールケーキを所要の数に均等に切り分けることもできる。
【００９１】
以上のとおり包装箱１Ａは、ハサミ等を用いることなく、あるいは糊付け等を剥がすことなく、分離線部２１０を引き裂き、前方フラップ連結手段の連結を解除するだけで、必要に応じて後方フラップ連結手段の連結を解除するだけで、ホールケーキを型崩れなく取り出すことが可能となる。
【００９２】
＜包装箱の再使用について＞
消費者は、ホールケーキを数回に分けて食すため、ホールケーキの例えば半分を包装箱１Ａに再び収容して冷蔵庫等に保管したいことがある。
【００９３】
この場合、消費者は、前方フラップ連結手段を解除した状態の包装箱１Ａの底板部１０に再びホールケーキを載置したのち（必要に応じてケーキ皿を使用）、前方フラップ連結手段を再び連結して有底箱体１Ｂを形成し（図１１）、さらに内天板部４２で有底箱体１Ｂの開口部１０ｓを塞ぎつつ、内天板前側フラップ４３を、右内側フラップ５３および左内側フラップ６３と、右前方フラップ５１および左前方フラップ６１との間に挿入する。
【００９４】
もちろんホールケーキの再収容の手順は、上記の手順に限定されない。例えば前方フラップ連結部および後方フラップ連結部の両方を解除したのち、再収容を行う場合には、展開した各フラップの折曲げに先立ちホールケーキを底板部１０に載置してもよい。
【００９５】
以上、本発明に係る包装箱について実施例に基づき説明したが、本発明はその趣旨を逸脱することなく適宜変形して実施することができる。例えば前方フラップ連結部は後方フラップ連結部と同様に係止孔および係止舌片によって構成されたものであってもよい。また前方フラップ連結部は右前方フラップと左前方フラップとを連結することができるものであれば実施例と異なったものであってもよく、後方フラップ連結部も同様である。もちろん本発明に係る包装箱は補助収容部フラップを有しなくともよく、分離線部は前板部から外天板部に掛けて形成されていてもよい。
【産業上の利用可能性】
【００９６】
本発明に係る包装箱は、工業的に製造等することができ、ケーキ等の運搬および保管等に工業的および商業的に使用することができ、そして商取引の対象とすることができるから、本発明は経済的価値を有して産業上の利用可能性を有する発明である。
【符号の説明】
【００９７】
１Ａ  包装箱
２Ａ  ブランク
１０  底板部
１０ｓ  開口部
２０  前板部
２０ｃ  前板部右辺
２０ｄ  前板部左辺
２１０  分離線部
３０  後板部
４１  外天板部
４１ｂ  外天板後端辺（外天板端部）
４１ｃ  外天板部右辺
４１ｄ  外天板部左辺
４１１  外天板係止舌片
４２  内天板部
４２１  外天板係止スリット
４２ｂ  内天板後辺（内天板折曲げ部）
４１２  把手部
４１２ａ、４１２ｂ  把手切り込み線
４１２ｓ  把手孔部
５０  右側板部
５１  右前方フラップ
５１ａ  右前方フラップ前端部辺
５２  右後方フラップ
５２ａ  右後方フラップ後端部辺
６０  左側板部
６１  左前方フラップ
６１ａ  左前方フラップ前端部辺
６２  左後方フラップ
６２ａ  左後方フラップ後端部辺
７０  補助収容部
７１、７２、７３  補助収容部第１〜第３フラップ（複数の仕切壁）
１０１、１０２  カット案内線
【図１】
2018188198.tif 000003
【図２】
2018188198.tif 000004
【図３】
2018188198.tif 000005
【図４】
2018188198.tif 000006
【図５】
2018188198.tif 000007
【図６】
2018188198.tif 000008
【図７】
2018188198.tif 000009
【図８】
2018188198.tif 000010
【図９】
2018188198.tif 000011
【図１０】
2018188198.tif 000012
【図１１】
2018188198.tif 000013